(57)【要約】【課題】電線を仮止めし易くする。【解決手段】電気機器に相当する接点入力端末器４の外郭８は、第１ボディ６と第２ボディ７とで構成される。第１導出部６３１は、第１ボディ６の第１周壁６１を厚み方向に貫通し、且つ前記開口部側に開放された溝状に形成される。第２導出部７３１は、第２ボディ７の第２周壁７１を厚み方向に貫通し、且つ前記開口部側に開放された溝状に形成される。第１ボディ６と第２ボディ７は、互いの前記開口部同士を向き合わせ、且つ第１導出部６３１と第２導出部７３１を第１周壁６１及び第２周壁７１の厚み方向に沿って重ねるようにして結合される。本実施形態の電気機器（接点入力端末器４）の外郭８は上述のように構成されるので、特許文献１記載の従来例と比較して、電線２０を仮止めし易くできる。【選択図】        図５
2016072456.tif 000002
【特許請求の範囲】
【請求項１】
開口部を有する箱状の第１ボディ、及び開口部を有する箱状の第２ボディで構成される外郭と、前記外郭内に収納される１乃至複数の電気部品と、一端が前記電気部品と電気的に接続されて前記外郭の外に引き出される１乃至複数の電線とを備える電気機器の外郭構造であって、
前記第１ボディは、第１底壁と、前記第１底壁の周囲を囲む第１周壁とを有し、前記第２ボディは、第２底壁と、前記第２底壁の周囲を囲む第２周壁とを有し、前記第１周壁は、前記電線が導出される１乃至複数の第１導出部が前記開口部側の部位に設けられ、前記第２周壁は、前記電線が導出される１乃至複数の第２導出部が前記開口部側の部位に設けられ、
前記第１導出部は、前記第１周壁を厚み方向に貫通し、且つ前記開口部側に開放された溝状に形成され、前記第２導出部は、前記第２周壁を厚み方向に貫通し、且つ前記開口部側に開放された溝状に形成され、
前記第１ボディと前記第２ボディは、互いの前記開口部同士を向き合わせ、且つ前記第１導出部と前記第２導出部を前記第１周壁及び前記第２周壁の厚み方向に沿って重ねるようにして結合されることを特徴とする電気機器の外郭構造。
【請求項２】
前記第１導出部及び前記第２導出部の少なくとも一部が、前記電線の外径よりも大きくない幅寸法に形成されることを特徴とする請求項１記載の電気機器の外郭構造。
【請求項３】
前記第１導出部及び前記第２導出部は、前記第１ボディと前記第２ボディが結合されて前記外郭が構成された状態において、前記第１周壁及び前記第２周壁の厚み方向に沿って重なる部分が、前記電線の断面よりも小さくなるように構成されることを特徴とする請求項１又は２記載の電気機器の外郭構造。
【請求項４】
前記第１導出部及び前記第２導出部は、前記第１ボディと前記第２ボディが結合されて前記外郭が構成された状態において、前記第１周壁及び前記第２周壁の厚み方向に沿って重ならない部分を有するように構成されることを特徴とする請求項１〜３の何れか１項に記載の電気機器の外郭構造。
【請求項５】
負荷を制御する制御端末器と、信号線を介して前記制御端末器と電気的に接続される伝送装置と、前記信号線を介して前記伝送装置と電気的に接続される端末器とを有し、前記端末器から前記信号線を介して伝送信号が送信され、前記伝送信号を受信した前記伝送装置は、前記負荷を制御させるための伝送信号を前記信号線を介して前記制御端末器へ送信し、前記制御端末器は、前記伝送装置から送信される前記伝送信号を受信して前記負荷を制御するように構成される負荷制御システムに用いられ、
請求項１〜請求項４の何れかの電気機器に相当し、前記電線に相当する前記信号線を介して前記伝送信号を伝送するための前記電気部品を備え、前記信号線を前記第１導出部及び前記第２導出部から前記外郭の外に導出するように構成されることを特徴とする負荷制御システムの端末器。
【発明の詳細な説明】
【技術分野】
【０００１】
本発明は、電気機器の外郭構造及び負荷制御システムの端末器に関し、外郭内に収納される電気部品と電気的に接続される電線を外郭の外に引き出すための外郭構造、及び当該外郭構造を有する、負荷制御システムの端末器に関する。
【背景技術】
【０００２】
従来例として、特許文献１に記載されている、電気部材収納用の器体（外郭）からの引出線の固定構造を例示する。特許文献１記載の従来例は自動点滅器（電気機器）であって、下面が開口したボディと、ボディの下面開口を閉じる透光性のカバーとで器体（外郭）が構成されている。
【０００３】
器体の内部には、光電変換素子などの電気部品が収納される。また、一端が前記電気部品と電気的に接続された引出線（電線）が、ボディとカバーの嵌合部に設けられている引出口から器体の外に引き出されている。
【０００４】
前記引出口は、ボディの周壁内面に設けられた、断面半円状の溝と、ボディの周壁内面に嵌合するカバーの外壁外面に設けられた、断面半円状の溝とで構成される。また、ボディ側の溝は、カバー側の溝よりも奥行きが深く形成されている。さらに、ボディの周壁内面には、溝の両側開口縁に沿うとともにボディの天板に繋がる三角形状のリブが設けられている。
【０００５】
器体の組立に当たり、ボディの溝に引出線が嵌め込まれた後、ボディにカバーが組み付けられる。すなわち、カバーが組み付けられるまでは、ボディの溝に引出線が仮止めされた状態にあるので、ボディに対するカバーの組付けが容易に行える。
【先行技術文献】
【特許文献】
【０００６】
【特許文献１】実開昭６１−２７８号公報
【発明の概要】
【発明が解決しようとする課題】
【０００７】
ところで、特許文献１記載の従来例においては、引出線が、ボディの天板から周壁に沿ってほぼ直角に屈曲された状態で溝に嵌め込まれている。そのため、引出線の導体（芯線）や絶縁体（被覆）の弾性力により、引出線が溝の外に飛び出してしまい、仮止めされ難いという課題があった。
【０００８】
本発明は、上記課題に鑑みてなされたものであり、電線を仮止めし易くすることを目的とする。
【課題を解決するための手段】
【０００９】
本発明の電気機器の外郭構造は、開口部を有する箱状の第１ボディ、及び開口部を有する箱状の第２ボディで構成される外郭と、前記外郭内に収納される１乃至複数の電気部品と、一端が前記電気部品と電気的に接続されて前記外郭の外に引き出される１乃至複数の電線とを備える電気機器の外郭構造であって、前記第１ボディは、第１底壁と、前記第１底壁の周囲を囲む第１周壁とを有し、前記第２ボディは、第２底壁と、前記第２底壁の周囲を囲む第２周壁とを有し、前記第１周壁は、前記電線が導出される１乃至複数の第１導出部が前記開口部側の部位に設けられ、前記第２周壁は、前記電線が導出される１乃至複数の第２導出部が前記開口部側の部位に設けられ、前記第１導出部は、前記第１周壁を厚み方向に貫通し、且つ前記開口部側に開放された溝状に形成され、前記第２導出部は、前記第２周壁を厚み方向に貫通し、且つ前記開口部側に開放された溝状に形成され、前記第１ボディと前記第２ボディは、互いの前記開口部同士を向き合わせ、且つ前記第１導出部と前記第２導出部を前記第１周壁及び前記第２周壁の厚み方向に沿って重ねるようにして結合されることを特徴とする。
【００１０】
本発明の負荷制御システムの端末器は、負荷を制御する制御端末器と、信号線を介して前記制御端末器と電気的に接続される伝送装置と、前記信号線を介して前記伝送装置と電気的に接続される端末器とを有し、前記端末器から前記信号線を介して伝送信号が送信され、前記伝送信号を受信した前記伝送装置は、前記負荷を制御させるための伝送信号を前記信号線を介して前記制御端末器へ送信し、前記制御端末器は、前記伝送装置から送信される前記伝送信号を受信して前記負荷を制御するように構成される負荷制御システムに用いられ、前記電気機器に相当し、前記電線に相当する前記信号線を介して前記伝送信号を伝送するための前記電気部品を備え、前記信号線を前記第１導出部及び前記第２導出部から前記外郭の外に導出するように構成されることを特徴とする。
【発明の効果】
【００１１】
本発明の電気機器の外郭構造及び負荷制御システムの端末器は、電線を仮止めし易くすることができるという効果がある。
【図面の簡単な説明】
【００１２】
【図１】本発明に係る負荷制御システムの端末器（接点入力端末器）の実施形態を含む負荷制御システムのシステム構成図である。
【図２】同上の負荷制御システムにおける伝送信号及び割込信号の説明図である。
【図３】同上の接点入力端末器を示すブロック図である。
【図４】本発明に係る電気機器の外郭構造の実施形態を示し、電気機器に相当する接点入力端末器の斜視図である。
【図５】同上の接点入力端末器の分解斜視図である。
【図６】同上の接点入力端末器の分解斜視図である。
【図７】同上の接点入力端末器の第１ボディと第２ボディの平面図である。
【図８】同上の接点入力端末器の平面図である。
【図９】同上の接点入力端末器の側面図である。
【図１０】同上の接点入力端末器の組立手順を説明するための説明図である。
【図１１】同上の接点入力端末器の施工状態を示す斜視図である。
【図１２】同上の接点入力端末器の第１ボディの要部を示す平面図である。
【図１３】同上の接点入力端末器の外郭の要部を示す断面図である。
【図１４】同上の接点入力端末器の外郭の要部を示す断面図である。
【発明を実施するための形態】
【００１３】
以下、本発明に係る電気機器の外郭構造の実施形態、並びに本発明に係る負荷制御システムの端末器の実施形態について、図面を参照して詳細に説明する。ただし、本発明に係る外郭構造の技術思想が適用可能な電気機器は、負荷制御システムの端末器（後述する接点入力端末器４）に限定されず、外郭の外に電線が引き出される電気機器であればよい。
【００１４】
まず、本実施形態における負荷制御システムを説明する。この負荷制御システムは、図１に示すように、伝送装置１、操作端末器２、制御端末器３、接点入力端末器４などが２線式の信号線Ｌｓを介して電気的に接続されて構成される。制御端末器３は、リレーを内蔵しており、当該リレーのリレー接点に負荷（例えば、照明負荷Ｌ）が電気的に接続される。伝送装置１は、図２に示すような形式を有した伝送信号Ｖｓを信号線Ｌｓに送出することにより、各端末器２〜４との間でデータを授受するように構成される。
【００１５】
伝送信号Ｖｓは、スタートパルスＳＴ、モードデータＭＤ、アドレスデータＡＤ、制御データＣＤ、エラー訂正符号ＣＳ、返送待機期間ＷＴなどで構成される。スタートパルスＳＴは、伝送信号Ｖｓの送出開始を示し、モードデータＭＤは、伝送信号Ｖｓのモードを示している。また、アドレスデータＡＤは、各端末器２〜４を個別に認識するための識別符号を示し、制御データＣＤは、照明負荷Ｌへの制御内容を示している。さらに、エラー訂正符号ＣＳは、例えば、伝送誤りを検出するチェックサムデータであり、返送待機期間ＷＴは、各端末器２〜４から返送信号を返送するための期間である。そして、伝送信号Ｖｓは、複極性（±２４Ｖ）の時分割多重信号であり、パルス幅変調によってデータが伝送されるように構成されている。各端末器２〜４では、２線式の信号線Ｌｓを介して受信された伝送信号ＶｓのアドレスデータＡＤに含まれるアドレスがあらかじめ設定されている自己アドレスと一致したときに、その伝送信号Ｖｓの制御データＣＤを取り込む。また、制御データＣＤを取り込んだ各端末器２〜４は、伝送信号Ｖｓの返送待機期間ＷＴに同期して、返送信号を電流モード信号（信号線Ｌｓの線間を適当な低インピーダンスを介して短絡して送出される信号）として伝送装置１に返送する。
【００１６】
操作端末器２は、複数（図示例では４つ）の操作スイッチＳＷ１〜ＳＷ４を有している。また、操作端末器２は、何れかの操作スイッチＳＷ１〜ＳＷ４が操作されると、通常時に伝送されてくる伝送信号ＶｓのスタートパルスＳＴの受信期間に、割り込みパルスを電流モードにより送出するように構成されている。
【００１７】
伝送装置１は、信号伝送部、割込処理部を有する。信号伝送部は、モードデータＭＤをポーリングモードとして、常時監視する対象の端末器２〜４のアドレスデータＡＤ、若しくはダミーのアドレスデータＡＤを持つ伝送信号Ｖｓを常時送出するように構成される。また、信号伝送部は、伝送信号ＶｓのスタートパルスＳＴに同期して操作端末器２から操作スイッチＳＷ１ …の操作に対応して送出される割込信号Ｖｉ（図２参照）を受信する。一方、割込処理部は、操作端末器２をグループ単位で識別するグループアドレスを持つ伝送信号Ｖｓを順次送信し、割込信号Ｖｉを送信した操作端末器２を検出するように構成される。割込信号Ｖｉを送出した操作端末器２は、自己が属するグループアドレスのアクセス時に自己アドレスを返送待機期間ＷＴに返送信号として返送するように構成される。そして、伝送装置１は、信号伝送部で受信する前記返送信号のアドレスデータにより、割込信号Ｖｉを送出した操作端末器２を検出する。さらに、伝送装置１の割込処理部は、当該操作端末器２をアクセスする伝送信号Ｖｓを送出して当該操作端末器２から返送待機期間ＷＴに操作スイッチＳＷ１…の操作データを持つ返送信号を返送させる。
【００１８】
伝送装置１は、上述した一連の割込処理を経て、当該操作端末器２のアドレスと予め対応付けられた制御端末器３への制御データＣＤを作成し、当該制御端末器３のアドレスデータＡＤとともに伝送信号Ｖｓにより時分割多重伝送する。この伝送信号Ｖｓによりアクセスされた制御端末器３は、制御データＣＤに対応してリレーをオン及びオフして照明負荷Ｌの点灯と消灯を切り換えるように構成される。
【００１９】
上述のように本実施形態における負荷制御システムでは、操作端末器２の操作スイッチＳＷ１…の操作で、対応している制御端末器３に接続されている照明負荷Ｌを点灯及び消灯させることができる。ただし、このような負荷制御システム（遠隔監視制御システムとも呼ばれる。）は従来周知であるから、伝送装置１や操作端末器２、制御端末器３などの詳細な構成等については、図示及び説明を省略する。
【００２０】
ところで、本発明に係る電気機器の外郭構造を有する接点入力端末器４は、外部接点Ｓの状態を監視し、接点入力（外部接点Ｓのオン／オフの変化）が発生すると、上記の操作端末器２と同様に、その時点で割込信号Ｖｉを発生させるように構成される。さらに、接点入力端末器４は、伝送装置１に対して、前記操作入力を監視データとして信号線Ｌｓを介して返送するように構成される。伝送装置１は、接点入力端末器４から返送される監視データに基づいて制御端末器３への制御データＣＤを作成し、作成した制御データＣＤを含む伝送信号Ｖｓを信号線Ｌｓに送出する。制御端末器３は、当該伝送信号Ｖｓの制御データＣＤに基づき、例えば、照明負荷Ｌの個別又は一括オン／オフや所謂パターン制御（特定のグループ化された照明負荷Ｌをオン／オフする制御）やシーン切換などを行うように構成されることが好ましい。
【００２１】
以下、接点入力端末器４について、さらに詳しく説明する。接点入力端末器４は、図３に示すように、電源回路部１１、伝送信号送受信部１２、アドレス設定部１３、ワイヤレス信号送受信部１４、信号処理部１５、接点入力モニタ部１６、モニタ電源回路部１７などを備える。電源回路部１１は、伝送信号Ｖｓを整流平滑することで各部１２〜１６の動作電源を作成するように構成される。伝送信号送受信部１２は、２線式の信号線Ｌｓが電気的に接続され、信号線Ｌｓを介して伝送信号Ｖｓの受信並びに返送信号の返送を行うように構成される。アドレス設定部１３は、外部のワイヤレス設定器５からの光ワイヤレス信号によりアドレス（接点入力端末器４のアドレス）が設定されるように構成される。ワイヤレス信号送受信部１４は、ワイヤレス設定器５からの光ワイヤレス信号を受信するとともにワイヤレス設定器５へ光ワイヤレス信号を送信するように構成される。信号処理部１５は、マイクロコントローラを主構成要素とし、接点入力端末器４全体の信号処理を行うように構成される。接点入力モニタ部１６は、外部接点Ｓ１〜Ｓ３のオン／オフ状態をモニタして接点入力を取り込み、取り込んだ接点入力に対応するモニタ信号を、信号処理部１５の入力ポートへ入力するように構成される。モニタ電源回路部１７は、外部のリモコントランスからの電源供給を受けて接点入力モニタ部１６に対するモニタ電源を得るように構成される。
【００２２】
信号処理部１５は、接点入力モニタ部１６からモニタ信号が入力された場合、通常時に伝送されてくる伝送信号ＶｓのスタートパルスＳＴの受信期間に、割り込みパルスを電流モードにより送出することが好ましい。また、信号処理部１５は、伝送装置１からのアクセスのための伝送信号Ｖｓを伝送信号送受信部１２で受信すると、モニタ信号に応じた監視データを持つ返送信号を、返送待機期間ＷＴに伝送信号送受信部１２から返送させることが好ましい。
【００２３】
次に、接点入力端末器４の外郭構造について、図４〜図１１を参照して、詳細に説明する。ただし、以下の説明では、特に断りの無い限り、図５において上下、左右、前後の各方向を規定する。
【００２４】
接点入力端末器４の外郭８は、図４〜図６に示すように、開口部を有する箱状の第１ボディ６と、開口部を有する箱状の第２ボディ７とで構成される。なお、第１ボディ６及び第２ボディ７は、合成樹脂成形体で構成されることが好ましい。また、外郭８内には、図３に示した各部１１〜１７を構成する電気部品を実装したプリント配線板１８が収納される（図５及び図６参照）。
【００２５】
プリント配線板１８は、６角形の平板状に形成される。プリント配線板１８の上面には、ワイヤレス信号送受信部１４や信号処理部１５などが実装される（図５参照）。一方、プリント配線板１８の下面には、接点入力モニタ部１６やコネクタ１９などが実装される（図６参照）。
【００２６】
コネクタ１９は、プリント配線板１８の配線導体と電気的に接続される、レセプタクルコネクタで構成されることが好ましい。このコネクタ１９には、プラグ（プラグコネクタ）が挿抜可能に差込接続される。前記プラグは、２本の信号線Ｌｓ、リモコントランスからの２本の給電線、３つの外部接点Ｓ１〜Ｓ３からの３本の入力線及び１本の共通線が電気的に接続されることが好ましい。すなわち、プラグがコネクタ１９に差込接続されると、合計８本の電線（２本の信号線Ｌｓ、２本の給電線、３本の入力線、１本の共通線）と、プリント配線板１８の配線導体とが電気的に接続されることになる。なお、以下の説明においては、信号線Ｌｓ、給電線、入力線、共通線を、電線２０と総称する。
【００２７】
第１ボディ６は、第１底壁６０と、第１底壁６０の周囲を囲む第１周壁６１とを有する。第１底壁６０は、プリント配線板１８と相似した６角形状に形成される。第１周壁６１は、角筒状であり、第１底壁６０の６つの辺から上向きに立ち上がるように第１底壁６０と一体に形成されることが好ましい。また、第１周壁６１の前部６１０には、半円筒形状の第１突壁６２が一体に形成されることが好ましい。
【００２８】
第１底壁６０には、上向きに突出する一対のボス６００が設けられる。そして、これら一対のボス６００の先端部分に、プリント配線板１８がねじ止めされることが好ましい。
【００２９】
第１周壁６１の右側部６１２には、内向き（左側部６１３に近付く向き）に凹んだ２つの凹部６１４、６１５が前後方向に間隔を空けて並ぶように形成される。そして、前方の凹部６１４（以下、前側凹部６１４と呼ぶ。）の上端には、第１櫛部６３が設けられる。また、後方の凹部６１５（以下、後側凹部６１５）の上端には、第１引掛部６１６が設けられる。
【００３０】
第１引掛部６１６は、矩形平板状の突片６１６０と、突片６１６０の上部における右側面から突出する引掛爪６１６１とを有する。引掛爪６１６１は、前後方向を軸方向とする三角柱状に形成される。突片６１６０は、厚み方向（左右方向）に撓み可能に形成される。
【００３１】
第１櫛部６３は、前側凹部６１４の上端から上向きに突出する５つの櫛歯６３０を有する。これら５つの櫛歯６３０は、互いに等しい間隔を空けて前後方向に並ぶように、前側凹部６１４の上端に設けられることが好ましい。ここで、隣り合う２つの櫛歯６３０の間に、それぞれ第１導出部６３１が形成される。これら４つの第１導出部６３１は、第１周壁６１の右側部６１２を厚み方向に貫通し、且つ上方に開放された溝状に形成される。また、各第１導出部６３１の下端部分は、第１周壁６１の上端よりも下側にはみ出し、且つ、第１周壁６１の右側部６１２の厚み方向（左右方向）から見て、半円形に形成されることが好ましい。そして、これら４つの第１導出部６３１には、それぞれ電線２０が１本ずつ挿通される。なお、第１導出部６３１は、電線２０の外径と同程度の幅寸法（前後方向における櫛歯６３０の間隔）に形成されることが好ましい。
【００３２】
一方、第１周壁６１の左側部６１３には、第１櫛部６３と第１被引掛部６１７が設けられる。左側部６１３の第１櫛部６３は、左右方向から見て、右側部６１２の第１櫛部６３と重なるように形成される。すなわち、第１櫛部６３は、左側部６１３の前寄りの上端から上向きに突出する５つの櫛歯６３０を有する。これら５つの櫛歯６３０は、互いに等しい間隔を空けて前後方向に並ぶように、左側部６１３の前寄りの上端に設けられる。そして、隣り合う２つの櫛歯６３０の間に、それぞれ第１導出部６３１が形成される。これら４つの第１導出部６３１は、第１周壁６１の左側部６１３を厚み方向に貫通し、且つ上方に開放された溝状に形成される。また、各第１導出部６３１の下端部分は、第１周壁６１の左側部６１３の厚み方向（左右方向）から見て、半円形に形成されることが好ましい。
【００３３】
第１被引掛部６１７は、第１周壁６１の左側部６１３を厚み方向に貫通する矩形の貫通孔として構成される。
【００３４】
また、第１周壁６１の後部６１１には、台形状の第１突片６１１０と、台形状の第１凹所６１１１とが設けられることが好ましい。ただし、第１突片６１１０は、後部６１１の左端の上端から上向きに突出するように設けられることが好ましい。また、第１凹所６１１１は、後部６１１の右端に設けられることが好ましい。
【００３５】
第１突壁６２の内底面には、上向きに突出する円筒形状のボス６２０が設けられる。また、第１突壁６２の前端面には、第１リブ６２１が突設されている。
【００３６】
第２ボディ７は、第２底壁７０と、第２底壁７０の周囲を囲む第２周壁７１とを有し、第２周壁７１の前部には、半円筒形状の第２突壁７２が一体に形成されることが好ましい。ただし、第２ボディ７は、ボス６００などの一部の有無を除いて、第１ボディ６と共通の形状及び寸法に形成されている。
【００３７】
第２底壁７０の後端部には、ワイヤレス信号送受信部１４がワイヤレス信号を送受信するための窓孔７００が設けられている。
【００３８】
図６に示すように、第２周壁７１の左側部７１３には、内向き（右側部７１２に近付く向き）に凹んだ２つの凹部７１４、７１５が前後方向に間隔を空けて並ぶように形成される。そして、前方の凹部７１４（以下、前側凹部７１４と呼ぶ。）の下端には、第２櫛部７３が設けられる。また、後方の凹部７１５（以下、後側凹部７１５）の下端には、第２引掛部７１６が設けられる。
【００３９】
第２引掛部７１６は、矩形平板状の突片７１６０と、突片７１６０の下部における左側面から突出する引掛爪７１６１とを有する。引掛爪７１６１は、前後方向を軸方向とする三角柱状に形成される。突片７１６０は、厚み方向（左右方向）に撓み可能に形成される。
【００４０】
第２櫛部７３は、前側凹部７１４の下端から下向きに突出する５つの櫛歯７３０を有する。これら５つの櫛歯７３０は、互いに等しい間隔を空けて前後方向に並ぶように、前側凹部７１４の下端に設けられることが好ましい。ここで、隣り合う２つの櫛歯７３０の間に、それぞれ第２導出部７３１が形成される。これら４つの第２導出部７３１は、第２周壁７１の左側部７１３を厚み方向に貫通し、且つ下方に開放された溝状に形成される。また、各第２導出部７３１の上端部分は、第２周壁７１の下端よりも上側にはみ出し、且つ、第２周壁７１の厚み方向（左右方向）から見て、半円形に形成されることが好ましい。そして、これら４つの第２導出部７３１には、それぞれ電線２０が１本ずつ挿通される。なお、第２導出部７３１は、電線２０の外径と同程度の幅寸法（前後方向における櫛歯７３０の間隔）に形成されることが好ましい。
【００４１】
一方、第２周壁７１の右側部７１２には、第２櫛部７３と第２被引掛部７１７が設けられる。右側部７１２の第２櫛部７３は、左右方向から見て、左側部７１３の第２櫛部７３と重なるように形成される。すなわち、第２櫛部７３は、右側部７１２の前寄りの下端から下向きに突出する５つの櫛歯７３０を有する。これら５つの櫛歯７３０は、互いに等しい間隔を空けて前後方向に並ぶように、右側部７１２に設けられる。そして、隣り合う２つの櫛歯７３０の間に、それぞれ第２導出部７３１が形成される。これら４つの第２導出部７３１は、第２周壁７１の右側部７１２を厚み方向に貫通し、且つ下方に開放された溝状に形成される。また、各第２導出部７３１の上端部分は、第２周壁７１の右側部７１２の厚み方向（左右方向）から見て、半円形に形成されることが好ましい。
【００４２】
第２被引掛部７１７は、第２周壁７１の右側部７１２を厚み方向に貫通する矩形の貫通孔として構成される。
【００４３】
また、第２周壁７１の後部７１１には、台形状の第２突片７１１０と、台形状の第２凹所７１１１とが設けられることが好ましい。ただし、第２突片７１１０は、後部７１１の右端の上端から上向きに突出するように設けられることが好ましい。また、第２凹所７１１１は、後部７１１の左端に設けられることが好ましい。
【００４４】
第２突壁７２の内底面には、円形の挿通孔７２０が貫通している。また、第２突壁７２の前端面には、第２リブ７２１が突設されている。
【００４５】
而して、第１ボディ６と第２ボディ７は、互いの開口部同士を向き合わせるようにして結合されて外郭８を構成する。つまり、第１ボディ６と第２ボディ７を近付けて行くと、第１引掛部６１６の引掛爪６１６１の斜面が、第２周壁７１の右側部７１２の下端に接触して突片６１６０が撓む。同様に、第２引掛部７１６の引掛爪７１６１の斜面が、第１周壁６１の左側部６１３の上端に接触して突片７１６０が撓む。そして、引掛爪６１６１、７１６１がそれぞれ第２被引掛部７１７、第１被引掛部６１７に到達すると、突片６１６０、７１６０が撓んだ状態から元に戻る。その結果、第１ボディ６の引掛爪６１６１が、第２ボディ７の第２被引掛部７１７に引っ掛かるとともに、第１ボディ６の第１被引掛部６１７に第２ボディ７の引掛爪７１７１が引っ掛かり、第１ボディ６と第２ボディ７とが結合される（図４参照）。また、第１周壁６１の第１突片６１１０と第２周壁７１の第２凹所７１１１が凹凸嵌合し、且つ第１周壁６１の第１凹所６１１１と第２周壁７１の第２突片７１１０が凹凸嵌合することにより、第１ボディ６と第２ボディ７が互いに位置決めされる。
【００４６】
ところで、図７及び図８に示すように、第１ボディ６の一対の第１櫛部６３と、第２ボディ７の一対の第２櫛部７３とは、左右方向において、位置がずれて（シフトして）いる。つまり、第２ボディ７の右側の第２櫛部７３は、第１ボディ６の第１周壁６１の前側凹部６１４に挿入され（図４及び図８参照）、第１ボディ６の左側の第１櫛部６３は、第２ボディ７の第２周壁７１の前側凹部７１４に挿入される。ここで、第１導出部６３１が第１周壁６１の上端よりも下側にはみ出し、且つ、第２導出部７３１が第２周壁７１の下端よりも上側にはみ出している。そのため、第１導出部６３１と第２導出部７３１が左右方向に重なることにより、図９に示すように、外郭８の右側面及び左側面に円形の導出部が４つずつ形成される。
【００４７】
ここで、外郭８は、第１突壁６２と第２突壁７２が結合されて構成される、筒状の突台部８０を有している（図４参照）。また、突台部８０の前端面には、第１リブ６２１と第２リブ７２１が突出している。突台部８０には、取付部材８１がねじ止めされる。取付部材８１は、例えば、合成樹脂材料により、後面が開口した有底円筒形状に形成されることが好ましい（図５及び図６参照）。また、取付部材８１の前面には、第１リブ６２１と第２リブ７２１が嵌まる孔８１０が貫通している。さらに、取付部材８１の周面には、円形のねじ止め孔８１１が貫通している。取付部材８１の後端部分の外周面には、雄ねじ部８１２が一体に形成されている。取付部材８１は、前方から突台部８０に被せられ、ねじ止め孔８１１に挿通されるねじ８１３が第２突壁７２の挿通孔７２０を通して、第１突壁６２のボス６２０のねじ孔６２００にねじ込まれることにより、突台部８０にねじ止めされる（図１１参照）。
【００４８】
次に、図１０を参照して、接点入力端末器４の組立手順を説明する。まず、作業者は、プリント配線板１８のコネクタ１９にプラグを差込接続した後、第１ボディ６の８つの第１導出部６３１に、それぞれ電線２０を１本ずつ嵌め込む。このとき、作業者は、第１導出部６３１に、上から電線２０を押し込めばよい。それから、作業者は、第１ボディ６のボス６００にプリント配線板１８をねじ止めする。このとき、８本の電線２０がそれぞれ第１導出部６３１に保持されているため、作業者は、プリント配線板１８を第１ボディ６のボス６００に容易にねじ止めすることができる。
【００４９】
続いて、作業者は、第１ボディ６の上から第２ボディ７を被せて第１ボディ６と第２ボディ７を結合する。上述のように、第１引掛部６１６の引掛爪６１６１が第２被引掛部７１７に引っ掛かり、且つ第２引掛部７１６の引掛爪７１７１が第１被引掛部６１７に引っ掛かることにより、第１ボディ６と第２ボディ７が強固に結合されて外郭８が構成される。なお、第１ボディ６と第２ボディ７が結合される際、第１ボディ６の第１導出部６３１に嵌め込まれている８本の電線２０は、それぞれ第２ボディ７の８つの第２導出部７３１に各別に嵌め込まれる。故に、８本の電線２０は、外郭８の右側面及び左側面にそれぞれ４つずつ形成される円形の導出部を通して、外郭８の外に導出される。最後に、作業者は、外郭８の上面（第２ボディ７の第２底壁７０の上面）に銘板１０を貼り付ける。このような手順で接点入力端末器４が組み立てられる。
【００５０】
而して、本実施形態の外郭８の構造では、特許文献１記載の従来例とは異なり、第１導出部６３１及び第２導出部７３１が、壁（第１周壁６１及び第２周壁７１）を貫通する溝で構成されている。そのため、電線２０に無理な曲げ力が加わらないため、特許文献１記載の従来例と比較して、電線２０を仮止めし易くすることができる。
【００５１】
上述のように本実施形態の電気機器の外郭構造は、開口部を有する箱状の第１ボディ６、及び開口部を有する箱状の第２ボディ７で構成される外郭８を備える電気機器（接点入力端末器４）の外郭８の構造である。電気機器（接点入力端末器４）は、外郭８内に収納される１乃至複数の電気部品（プリント配線板１８やコネクタ１９など）と、一端が前記電気部品と電気的に接続されて外郭８の外に引き出される１乃至複数の電線２０とを備える。第１ボディ６は、第１底壁６０と、第１底壁６０の周囲を囲む第１周壁６１とを有する。第２ボディ７は、第２底壁７０と、第２底壁７０の周囲を囲む第２周壁７１とを有する。第１周壁６１は、電線２０が導出される１乃至複数の第１導出部６３１が前記開口部側の部位（右側部６１２及び左側部６１３の上端）に設けられる。第２周壁７１は、電線２０が導出される１乃至複数の第２導出部７３１が前記開口部側の部位（右側部７１２及び左側部７１３の下端）に設けられる。第１導出部６３１は、第１周壁６１を厚み方向に貫通し、且つ前記開口部側に開放された溝状に形成される。第２導出部７３１は、第２周壁７１を厚み方向に貫通し、且つ前記開口部側に開放された溝状に形成される。第１ボディ６と第２ボディ７は、互いの前記開口部同士を向き合わせ、且つ第１導出部６３１と第２導出部７３１を第１周壁６１及び第２周壁７１の厚み方向に沿って重ねるようにして結合される。
【００５２】
また、本実施形態の負荷制御システムは、負荷（照明負荷Ｌ）を制御する制御端末器３と、信号線Ｌｓを介して制御端末器３と電気的に接続される伝送装置１と、信号線Ｌｓを介して伝送装置１と電気的に接続される端末器とを有する。当該負荷制御システムは、前記端末器（操作端末器２及び接点入力端末器４）から信号線Ｌｓを介して伝送信号Ｖｓが送信されるように構成される。また、当該負荷制御システムは、伝送信号Ｖｓを受信した伝送装置１が、負荷（照明負荷Ｌ）を制御させるための伝送信号Ｖｓを信号線Ｌｓを介して制御端末器３へ送信するように構成される。さらに、当該負荷制御システムは、制御端末器３が、伝送装置１から送信される伝送信号Ｖｓを受信して負荷（照明負荷Ｌ）を制御するように構成される。負荷制御システムの端末器である接点入力端末器４は、電線２０に相当する信号線Ｌｓを介して伝送信号Ｖｓを伝送するための電気部品（伝送信号送受信部１２）を備える。接点入力端末器４は、信号線Ｌｓを第１導出部６３１及び第２導出部７３１から外郭８の外に導出するように構成される。
【００５３】
本実施形態の電気機器（接点入力端末器４）の外郭８は上述のように構成されるので、特許文献１記載の従来例と比較して、電線２０を仮止めし易くできる。
【００５４】
なお、本実施形態の電気機器（接点入力端末器４）において、プリント配線板１８の固定構造及び取付部材８１の固定構造を変更し、第１ボディ６からボス６００、６２０を無くせば、第１ボディ６と第２ボディ７を同一形状とすることができる。そして、第１ボディ６と第２ボディ７が同一形状となれば、これら２種類のボディ６、７を同一の金型で成形することが可能となり、外郭８の製造コストの削減を図ることができる。
【００５５】
ところで、本実施形態の接点入力端末器４は、図１１に示すように、いわゆるスイッチボックス９を用いて、建物の壁や天井、床などに埋込配設されることが好ましい。スイッチボックス９は、金属板又は合成樹脂材料によって扁平な有底筒状に形成される。また、スイッチボックス９の周壁には、複数（図示例では４つ）の円形の通線孔９０が等間隔に離して設けられている。スイッチボックス９は、壁や天井、床などに埋め込まれ、例えば、センサ装置や種々の操作スイッチ装置などが開口部分を塞ぐように、ねじ止めなどの適宜の方法で取り付けられるように構成される。ただし、このようなスイッチボックス９については、従来周知であるから、詳細な構成の図示並び説明を省略する。
【００５６】
作業者は、取付部材８１が取り付けられた突台部８０を１つの通線孔９０に挿通し、他の３つの通線孔９０の全部又は一部に電線２０を挿通させるようにして、スイッチボックス９内に外郭８を収納する（図１１参照）。そして、通線孔９０から突出する取付部材８１の雄ねじ部８１２にナットが締め込まれることにより、外郭８がスイッチボックス９の周壁に取り付けられる。なお、外郭８の導出部（第１導出部６３１及び第２導出部７３１）から導出される電線２０のうち、信号線Ｌｓと給電線は、残り３つの通線孔９０の少なくとも何れか１つの通線孔９０を通してスイッチボックス９の外に引き出される。また、残り４本の電線２０（入力線及び共通線）は、スイッチボックス９に取り付けられるセンサ装置などと電気的に接続される。
【００５７】
ところで、本実施形態の外郭８の構造において、第１導出部６３１及び第２導出部７３１の少なくとも一部が、電線２０の外径よりも大きくない幅寸法に形成されることが好ましい。
【００５８】
例えば、図１２に示すように、第１導出部６３１は、最下端の円形部分の幅（直径）Ｄ１が電線２０の外径にほぼ等しく、その他の矩形の部分の幅Ｄ２が電線２０の外径よりも僅かに小さくなるように形成されることが好ましい。つまり、電線２０は、合成樹脂製の外皮を変形させながら、第１導出部６３１の前記矩形部分を通過した後、第１導出部６３１の前記円形部分に挿入される。そして、第１導出部６３１の前記円形部分に挿入された電線２０は、幅Ｄ２が電線２０の外形よりも小さい前記矩形部分を通過し難くなるので、第１導出部６３１に確実に保持される。
【００５９】
また、本実施形態の外郭８の構造において、第１ボディ６と第２ボディ７が結合されて外郭８が構成されることが好ましい。そして、外郭８が構成された状態において、第１導出部６３１及び第２導出部７３１は、第１周壁６１及び第２周壁７１の厚み方向に沿って重なる部分が、電線２０の断面よりも小さくなるように構成されることが好ましい。
【００６０】
すなわち、第１導出部６３１と第２導出部７３１が左右方向に重なることにより、外郭８の右側面及び左側面に円形の導出部が形成される（図９参照）。そして、当該円形の導出部（第１周壁６１及び第２周壁７１の厚み方向に沿って重なる部分）の内径が、電線２０の外径よりも小さくなるように、第１導出部６３１及び第２導出部７３１が構成されることが好ましい。本実施形態の外郭８の構造が上述のように構成されれば、図１３に示すように、第１導出部６３１及び第２導出部７３１の内周面が電線２０の外周面と密着するため、水滴や埃などの異物が前記導出部を通して外郭８内に浸入し難くなる。
【００６１】
さらに、本実施形態の外郭８の構造において、第１ボディ６と第２ボディ７が結合されて外郭８が構成されることが好ましい。そして、外郭８が構成された状態において、第１導出部６３１及び第２導出部７３１は、第１周壁６１及び第２周壁７１の厚み方向に沿って重ならない部分を有するように構成されることが好ましい。
【００６２】
すなわち、第１導出部６３１と第２導出部７３１は、図１４に示すように、前後方向（図１４における上下方向）にずれて（シフトして）配置されることが好ましい。本実施形態の外郭８の構造が上述のように構成されれば、第１導出部６３１及び第２導出部７３１から導出される電線２０が僅かに屈曲して張力止めされる。その結果、外郭８の外から電線２０が引っ張られた場合においても、プリント配線板１８に実装されたコネクタ１９などに不要な力が加わり難くなる。
【符号の説明】
【００６３】
１  伝送装置
２  操作端末器
３  制御端末器
４  接点入力端末器（電気機器、端末器）
６  第１ボディ
７  第２ボディ
８  外郭
２０  電線
６０  第１底壁
６１  第１周壁
７０  第２底壁
７１  第２周壁
６３１  第１導出部
７３１  第２導出部
Ｌｓ  信号線
【図１】
2016072456.tif 000003
【図２】
2016072456.tif 000004
【図３】
2016072456.tif 000005
【図４】
2016072456.tif 000006
【図５】
2016072456.tif 000007
【図６】
2016072456.tif 000008
【図７】
2016072456.tif 000009
【図８】
2016072456.tif 000010
【図９】
2016072456.tif 000011
【図１０】
2016072456.tif 000012
【図１１】
2016072456.tif 000013
【図１２】
2016072456.tif 000014
【図１３】
2016072456.tif 000015
【図１４】
2016072456.tif 000016